(57)【要約】      （修正有）【課題】漏水を防止可能な加湿器の給水制御装置を提供する。【解決手段】給水制御装置は、加湿器底部へ装着して用いられるものであり、止水板１２に設けられる排水孔１、バルブロッド２、バルブキャップ３を含む。止水板１２の下方には、接続アームロッド４、フロート５、屈曲アームロッド６、バネ７が設けられ、屈曲アームロッド６は、第１アームロッド６１と、第１アームロッド６１に対して鈍角をなす第２アームロッド６２を含む。また、加湿器のベースに設けられる水槽において第１アームロッド６１を突き上げる支持ロッドを更に含み、第１アームロッド６１が支持ロッドに突き上げられると、第２アームロッド６２が下降する。加湿器のベースに設けられる水槽において第１アームロッド６１を突き上げる支持ロッドを含み、第１アームロッドが支持ロッドに突き上げられると、第２アームロッド６２が下降する。【選択図】図１
0003214746.tif 000002
【実用新案登録請求の範囲】
【請求項１】
加湿器底部への装着に用いられるものであり、弁体を含み、前記弁体には止水板（１２）が設けられ、前記止水板（１２）には、排水孔（１）、バルブロッド（２）、バルブキャップ（３）が設けられ、前記バルブロッド（２）は上下に移動可能に排水孔（１）を貫通しており、前記バルブキャップ（３）は排水孔（１）を塞ぐようバルブロッド（２）の上部に装着されている加湿器の給水制御装置において、
前記止水板（１２）の下方には、接続アームロッド（４）、フロート（５）、屈曲アームロッド（６）、バネ（７）が設けられており、前記接続アームロッド（４）の一端はバルブロッド（２）の底部に、他端はフロート（５）に接続されており、
前記屈曲アームロッド（６）は、第１アームロッド（６１）と、第１アームロッド（６１）に対して鈍角をなす第２アームロッド（６２）を含み、前記第１アームロッド（６１）と第２アームロッド（６２）の接続箇所はヒンジ軸となっており、前記ヒンジ軸には、止水板（１２）の下方に固定されるように２つのヒンジアーム（８）が接続されており、
前記バネ（７）は止水板（１２）の下面に固定接続されており、前記第１アームロッド（６１）の端部はバネ（７）に固定接続されており、
前記フロート（５）には上下に貫通する中空部（５１）が設けられており、前記屈曲アームロッド（６）とバネ（７）の下部がフロート（５）の中空部（５１）に位置しており、前記中空部（５１）の開口における一方の側には当接板（９）が設けられており、前記第２アームロッド（６２）の端部が当接板（９）の下面に当接しており、
前記第１アームロッド（６１）とバネ（７）は接続アームロッド（４）寄りに位置しており、
更に、加湿器のベースに設けられる水槽において第１アームロッド（６１）を突き上げる支持ロッドを含み、前記第１アームロッド（６１）が支持ロッドに突き上げられると、第２アームロッド（６２）が下降することを特徴とする加湿器の給水制御装置。
【請求項２】
前記バルブロッド（２）の下端には、側方に開口する係合溝（１０）が接続されており、前記接続アームロッド（４）が係合溝（１０）を介してバルブロッド（２）に固定接続されることを特徴とする請求項１記載の加湿器の給水制御装置。
【請求項３】
前記止水板（１２）の下面には全周にわたって周壁（１１）が設けられており、前記接続アームロッド（４）、フロート（５）、屈曲アームロッド（６）、バネ（７）は周壁（１１）に形成される空洞内に位置することを特徴とする請求項１記載の加湿器の給水制御装置。
【請求項４】
２つのヒンジアーム（８）は、止水板（１２）の下面に接続されていることを特徴とする請求項１記載の加湿器の給水制御装置。
【考案の詳細な説明】
【技術分野】
【０００１】
本考案は、加湿器の給水制御装置に関する。
【背景技術】
【０００２】
生活水準の向上に伴って、生活の質や業務環境の質がますます重視されるようになっている。加湿器は流行の小型家電として新鮮で潤いある空気を居住環境に提供可能なことから、その人気は高まる一方である。従来の加湿器は、タンクとウォーターバルブを含み、ウォーターバルブがタンク底部の排水口に装着されている。ところが、従来のウォーターバルブには、タンクをベースに対して着脱する際に漏水が発生し、使用上不便であるとの課題があった。
【考案の概要】
【考案が解決しようとする課題】
【０００３】
従来技術の瑕疵を解消すべく、本考案は、漏水を防止可能な加湿器の給水制御装置を提供することを目的とする。
【課題を解決するための手段】
【０００４】
本考案では、上記の課題を解決するために以下の技術方案を用いる。
【０００５】
加湿器底部への装着に用いられるものであり、弁体を含み、前記弁体には止水板が設けられ、前記止水板には、排水孔、バルブロッド、バルブキャップが設けられ、前記バルブロッドは上下に移動可能に排水孔を貫通しており、前記バルブキャップは排水孔を塞ぐようバルブロッドの上部に装着されている加湿器の給水制御装置において、前記止水板の下方には、接続アームロッド、フロート、屈曲アームロッド、バネが設けられており、前記接続アームロッドの一端はバルブロッドの底部に、他端はフロートに接続されている。前記屈曲アームロッドは、第１アームロッドと、第１アームロッドに対して鈍角をなす第２アームロッドを含み、前記第１アームロッドと第２アームロッドの接続箇所はヒンジ軸となっており、前記ヒンジ軸には、止水板の下方に固定されるように２つのヒンジアームが接続されている。前記バネは止水板の下面に固定接続されており、前記第１アームロッドの端部はバネに固定接続されている。前記フロートには上下に貫通する中空部が設けられており、前記屈曲アームロッドとバネの下部がフロートの中空部に位置しており、前記中空部の開口における一方の側には当接板が設けられており、前記第２アームロッドの端部が当接板の下面に当接している。前記第１アームロッドとバネは接続アームロッド寄りに位置している。更に、加湿器のベースに設けられる水槽において第１アームロッドを突き上げる支持ロッドを含み、前記第１アームロッドが支持ロッドに突き上げられると、第２アームロッドが下降する。
【０００６】
更に、前記バルブロッドの下端には、側方に開口する係合溝が接続されており、前記接続アームロッドが係合溝を介してバルブロッドに固定接続される。
【０００７】
更に、前記止水板の下面には全周にわたって周壁が設けられており、前記接続アームロッド、フロート、屈曲アームロッド、バネは周壁壁に形成される空洞内に位置する。
【０００８】
更に、２つのヒンジアームは止水板の下面に接続されている。
【考案の効果】
【０００９】
本考案は、以下の有益な効果を有する。即ち、本考案における加湿器のタンクをベースに装着すると、ベース水槽内の支持ロッドが屈曲アームロッドの第１アームロッドを突き上げる。これにより、屈曲アームロッドにおける第２アームロッドがフロートの一方を下降させ、フロートに接続される接続アームロッドが上昇する。すると、バルブロッドがバルブキャップを突き上げるように駆動される結果、排水孔が開放されてタンク内の水が排水孔から流出する。ベース水槽内の水位が一定程度まで上昇すると、フロートが水位とともに浮き上がり、フロートに接続される接続アームロッドが次第に下降する。これにより、バルブロッドが下降して排水孔を塞ぐよう駆動される。また、タンクを持ち上げると、第１アームロッドはバネの作用によって迅速に下降し、排水孔を速やかに塞ぐため漏水が回避される。本装置は構造が単純且つ合理的であり、動作が確実である。
【図面の簡単な説明】
【００１０】
【図１】図１は、本考案の給水制御装置における排水孔開放時の状態を示す図である。
【図２】図２は、本考案の給水制御装置における排水孔閉止時の状態を示す図である。
【図３】図３は、本考案の給水制御装置におけるフロートの構造を示す図である。
【図４】図４は、本考案の給水制御装置における弁体の構造を示す図である。
【考案を実施するための形態】
【００１１】
以下に、図面と実例を組み合わせて本考案につき更に説明する。
【００１２】
図１〜図３に示すように、本考案における加湿器の給水制御装置は加湿器底部への装着に用いられるものであり、弁体を含む。前記弁体には止水板１２が設けられ、前記止水板１２には、排水孔１、バルブロッド２、バルブキャップ３が設けられる。前記バルブロッド２は上下に移動可能に排水孔１を貫通しており、前記バルブキャップ３は排水孔１を塞ぐようバルブロッド２の上部に装着されている。前記止水板１２の下方には、接続アームロッド４、フロート５、屈曲アームロッド６、バネ７が設けられている。前記接続アームロッド４の一端はバルブロッド２の底部に、他端はフロート５に接続されている。前記屈曲アームロッド６は、第１アームロッド６１と、第１アームロッド６１に対して鈍角をなす第２アームロッド６２を含む。前記第１アームロッド６１と第２アームロッド６２の接続箇所はヒンジ軸となっており、前記ヒンジ軸には、止水板１２の下方に固定されるように２つのヒンジアーム８が接続されている。前記バネ７は止水板１２の下面に固定接続されており、前記第１アームロッド６１の端部がバネ７に固定接続されている。前記フロート５には上下に貫通する中空部５１が設けられており、前記屈曲アームロッド６とバネ７の下部がフロート５の中空部５１に位置している。前記中空部５１の開口における一方の側には当接板９が設けられており、前記第２アームロッド６２の端部が当接板９の下面に当接している。前記第１アームロッド６１とバネ７は接続アームロッド４寄りに位置している。また、加湿器のベースに設けられる水槽において第１アームロッド６１を突き上げる支持ロッド（図示しない）を更に含む。
【００１３】
前記バルブロッド２の下端には、側方に開口する係合溝１０が接続されており、前記接続アームロッド４が係合溝１０を介してバルブロッド２に固定接続される。
【００１４】
前記止水板１２の下面には全周にわたって周壁１１が設けられており、前記接続アームロッド４、フロート５、屈曲アームロッド６、バネ７は周壁１１により形成される空洞内に位置する。
【００１５】
２つのヒンジアーム８は、止水板１２の下面に接続されている。
【００１６】
本考案の加湿器では、タンクをベースに装着する際に、ベース上の水槽内の支持ロッドによって屈曲アームロッドの第１アームロッド６１が突き上げられ、屈曲アームロッドの第２アームロッド６２が下降する。これにより、フロート５の一方が下降し、フロート５の他方が上昇する。また、これに伴って接続アームロッド４が上昇する結果、バルブロッド２が上昇してバルブキャップ３を突き上げるよう駆動される。すると、排水孔１が開放されて、タンク内の水が排水孔１から流出する。ベース上の水槽内の水位が一定程度まで上昇すると、フロート５が水位とともに浮き上がり、フロート５に接続される接続アームロッド４が次第に下降する。すると、バルブロッド２が下降して排水孔１を塞ぐよう駆動される。また、タンクを持ち上げると、第１アームロッド６１はバネ７の作用によって迅速に下降し、排水孔１を速やかに塞ぐため漏水が回避される。
【００１７】
以上は本考案の好ましい実施例にすぎず、本考案は上記実施形態に限定されない。同様の手段で本考案の技術的効果を実現可能なものは、いずれも本考案の保護の範囲に属する。
【図１】
0003214746.tif 000003
【図２】
0003214746.tif 000004
【図３】
0003214746.tif 000005
【図４】
0003214746.tif 000006